(57)【要約】【課題】本発明は、ユーザーが操作可能なメニューを容易に理解でき、操作性を向上させることのできる調理器を提供する。【解決手段】本発明に係る調理器は、食材を調理する調理手段と、前記調理手段を制御する制御手段と、前記制御手段に電気的に接続され、調理メニュー４０を表示し、前記調理メニューを選択操作可能な表示・操作部２０と、を具える調理器であって、前記制御手段は、前記表示・操作部に特定の調理メニューが選択操作されたときに、前記特定の調理メニューに対して操作不能な調理メニューを非表示とする。【選択図】図８
2019033914.tif 000002
【特許請求の範囲】
【請求項１】
食材を調理する調理手段と、
前記調理手段を制御する制御手段と、
前記制御手段に電気的に接続され、調理メニューを表示し、前記調理メニューを選択操作可能な表示・操作部と、
を具える調理器であって、
前記制御手段は、前記表示・操作部に特定の調理メニューが選択操作されたときに、前記特定の調理メニューに対して操作不能な調理メニューを非表示とする、
ことを特徴とする調理器。
【請求項２】
前記表示・操作部は、複数行、複数列に調理メニューを表示可能であって、前記制御手段は、前記操作不能な調理メニューを１行又は１列に纏めて前記表示・操作部に表示し、前記特定の調理メニューが選択操作されたときに、前記操作不能な調理ニューを前記１行又は前記１列纏めて非表示とする、
請求項１に記載の調理器。
【請求項３】
前記特定の調理メニューが選択操作されたときに、前記選択操作に連動して、前記制御手段は、前記表示・操作部にアニメーション表示を行なう、
請求項１又は請求項２に記載の調理器。
【請求項４】
食材を調理する調理手段と、
前記調理手段を制御する制御手段と、
前記制御手段に電気的に接続され、調理メニューを表示し、前記調理メニューを選択操作可能な表示・操作部と、
を具える調理器であって、
前記表示・操作部は、長押し操作によって前記調理メニューを選択操作可能であり、前記制御手段は、前記調理メニューが長押し操作により選択操作されたときに、長押し操作された前記調理メニューを減光させる、
ことを特徴とする調理器。
【請求項５】
食材を調理する調理手段と、
前記調理手段を制御する制御手段と、
前記制御手段に電気的に接続され、調理メニューを表示し、前記調理メニューを選択操作可能な表示・操作部と、
を具える調理器であって、
前記表示・操作部は、１行に複数の調理メニューが表示され、各調理メニューには、周囲を囲む上下枠と左枠、右枠を含む選択枠が表示可能であり、
さらに、前記表示・操作部には、前記調理メニューとは別に、前記調理メニューを左右方向にスライド選択可能なスライド選択ボタンを有しており、
前記制御手段は、１の調理メニューが選択操作された状態において、前記選択操作された調理メニューの前記選択枠を点灯させるものであって、
前記制御手段は、前記スライド選択ボタンの操作によって、右方向の調理メニューに選択操作が移行する際に、前記１の調理メニューの左枠を消灯させると共に、右側の調理メニューの右枠を点灯させ、続いて、前記１の調理メニューの上下枠を消灯させると共に、前記右側の調理メニューの上下枠を点灯させ、さらに、前記１の調理メニューの右枠を消灯させると共に、前記右側の調理メニューの左枠を点灯させるよう制御し、
前記スライド選択ボタンの操作によって、左方向の調理メニューに選択操作が移行する際に、前記１の調理メニューの右枠を消灯させると共に、左側の調理メニューの左枠を点灯させ、続いて、前記１の調理メニューの上下枠を消灯させると共に、前記左側の調理メニューの上下枠を点灯させ、さらに、前記１の調理メニューの左枠を消灯させると共に、前記左側の調理メニューの右枠を点灯させるよう制御する、
ことを特徴とする調理器。
【発明の詳細な説明】
【技術分野】
【０００１】
本発明は、炊飯器や電子レンジなどの調理器に関するものであり、より具体的には、表示・操作部を具え、ユーザーが操作可能なメニューを容易に理解でき、操作性を向上させる調理器に関するものである。
【背景技術】
【０００２】
炊飯器や電子レンジなどの調理器では、調理メニューを表示、操作することのできる表示・操作部を具え、ユーザーが表示を参照しながら、所望の調理メニューを選択することで、対応する調理が開始或いは予約等される。
【０００３】
たとえば、特許文献１は炊飯器に関するものであり、特定の調理メニュー（たとえばおかゆ）を選択したとき、選択することのできない調理メニュー（たとえば短時間で炊飯する調理メニュー）は開始不可であることを表示すると共に、当該選択することができない調理メニューの開始指示の入力を禁止するようにしている。
【先行技術文献】
【特許文献】
【０００４】
【特許文献１】特許第４０１９６６９号公報
【発明の概要】
【発明が解決しようとする課題】
【０００５】
しかしながら、ユーザーは、選択できない調理メニューを参照しても、その調理メニューが開始不可であることを視認し辛く、また、開始指示の入力が禁止されていることを理解し難い問題がある。
【０００６】
本発明の目的は、ユーザーが操作可能なメニューを容易に理解でき、操作性を向上させることのできる調理器を提供することである。
【課題を解決するための手段】
【０００７】
本発明に係る調理器は、
食材を調理する調理手段と、
前記調理手段を制御する制御手段と、
前記制御手段に電気的に接続され、調理メニューを表示し、前記調理メニューを選択操作可能な表示・操作部と、
を具える調理器であって、
前記制御手段は、前記表示・操作部に特定の調理メニューが選択操作されたときに、前記特定の調理メニューに対して操作不能な調理メニューを非表示とする。
【０００８】
前記表示・操作部は、複数行、複数列に調理メニューを表示可能であって、前記制御手段は、前記操作不能な調理メニューを１行又は１列に纏めて前記表示・操作部に表示し、前記特定の調理メニューが選択操作されたときに、前記操作不能な調理ニューを前記１行又は前記１列纏めて非表示とすることができる。
【０００９】
前記特定の調理メニューが選択操作されたときに、前記選択操作に連動して、前記制御手段は、前記表示・操作部にアニメーション表示を行なうことができる。
【００１０】
また、本発明に係る調理器は、
食材を調理する調理手段と、
前記調理手段を制御する制御手段と、
前記制御手段に電気的に接続され、調理メニューを表示し、前記調理メニューを選択操作可能な表示・操作部と、
を具える調理器であって、
前記表示・操作部は、長押し操作によって前記調理メニューを選択操作可能であり、前記制御手段は、前記調理メニューが長押し操作により選択操作されたときに、長押し操作された前記調理メニューを減光させる。
【００１１】
本発明に係る調理器は、
食材を調理する調理手段と、
前記調理手段を制御する制御手段と、
前記制御手段に電気的に接続され、調理メニューを表示し、前記調理メニューを選択操作可能な表示・操作部と、
を具える調理器であって、
前記表示・操作部は、１行に複数の調理メニューが表示され、各調理メニューには、周囲を囲む上下枠と左枠、右枠を含む選択枠が表示可能であり、
さらに、前記表示・操作部には、前記調理メニューとは別に、前記調理メニューを左右方向にスライド選択可能なスライド選択ボタンを有しており、
前記制御手段は、１の調理メニューが選択操作された状態において、前記選択操作された調理メニューの前記選択枠を点灯させるものであって、
前記制御手段は、前記スライド選択ボタンの操作によって、右方向の調理メニューに選択操作が移行する際に、前記１の調理メニューの左枠を消灯させると共に、右側の調理メニューの右枠を点灯させ、続いて、前記１の調理メニューの上下枠を消灯させると共に、前記右側の調理メニューの上下枠を点灯させ、さらに、前記１の調理メニューの右枠を消灯させると共に、前記右側の調理メニューの左枠を点灯させるよう制御し、
前記スライド選択ボタンの操作によって、左方向の調理メニューに選択操作が移行する際に、前記１の調理メニューの右枠を消灯させると共に、左側の調理メニューの左枠を点灯させ、続いて、前記１の調理メニューの上下枠を消灯させると共に、前記左側の調理メニューの上下枠を点灯させ、さらに、前記１の調理メニューの左枠を消灯させると共に、前記左側の調理メニューの右枠を点灯させるよう制御する。
【発明の効果】
【００１２】
本発明の調理器によれば、表示・操作部の視認性を高め、操作性を可及的に向上させることができる。
【図面の簡単な説明】
【００１３】
【図１】図１は、本発明の一実施形態に係る調理器の表示・操作部を示す平面図である。
【図２】図２は、表示・操作部の全点灯状態の拡大図である。
【図３】図３は、調理メニュー選択時の表示・操作部の遷移を示す図である。
【図４】図４は、火かげん調整時の表示・操作部の遷移を示す図である。
【図５】図５は、仕上り状態選択時の表示・操作部の遷移を示す図である。
【図６】図６は、時刻設定時の表示・操作部の遷移を示す図である。
【図７】図７は、保温選択時の表示・操作部の遷移を示す図である。
【図８】図８は、炊飯予約設定時の表示・操作部の遷移を示す図である。
【図９】図９は、炊飯予約設定時の表示・操作部の遷移を示す図である。
【図１０】図１０は、予約設定完了後、炊飯が完了して保温に至るまでの表示・操作部の遷移を示す図である。
【図１１】図１１は、無洗米の炊飯から保温に至るまでの表示・操作部の遷移を示す図である。
【図１２】図１２は、音声ガイドボタン操作時の表示・操作部の遷移を示す図である。
【図１３】図１３は、スタンバイ状態の表示・操作部の表示を示す図である。
【図１４】図１４は、選択枠の遷移状態を示す図である。
【図１５】図１５は、選択枠の遷移状態の異なる実施形態を示す図である。
【図１６】図１６は、詳細な設定を行なうことができる操作ボタンの長押し状態の遷移を示す図である。
【図１７】図１７は、炊飯時の湯気のアニメーションを示している。
【図１８】図１８は、炊飯時の圧力状態に応じた湯気のアニメーションを示している。
【図１９】図１９は、保温状態の湯気のアニメーションを示している。
【図２０】図２０は、表示・操作部が全消灯状態からスタンバイ状態に遷移する状態を示す図である。
【発明を実施するための形態】
【００１４】
本発明の一実施形態に係る調理器について図面を参照しながら説明を行なう。なお、以下の説明では、調理器として炊飯器１０を例示するが、調理器は炊飯器１０に限定されず、たとえば、電子レンジ、コーヒーメーカー、電気ケトル、ホットプレート、ホームベーカリー、スロークッカーなどであってもよい。
【００１５】
図１は、本発明の一実施形態に係る炊飯器の蓋体１０の平面図である。炊飯器は、上面に開閉する蓋体１０を具え、蓋体１０には、表示・操作部２０を具える。表示・操作部２０の前方側には蓋体１０を開くプッシュ式ボタン１２を具える。また、蓋体１０の後方側には蒸気の排出口１４が形成されている。炊飯器には、炊飯用の内鍋、内鍋の加熱手段等、炊飯器の機能に必要な種々の機構を具える。
【００１６】
表示・操作部２０は、炊飯器の適所に配置された制御手段に電気的に接続されている。制御手段は、表示・操作部２０の表示シーケンスや加熱手段等の制御プログラムを記憶しており、表示・操作部２０の各種制御及びユーザーの選択操作を受けて、加熱手段等を作動させる。なお、以下の説明において、とくに明示しない場合、制御の主体は制御手段である。
【００１７】
表示・操作部２０は、本実施形態では、図２の平面図において、中央に矩形の中央表示領域２２を有し、中央表示領域２２の左右及び下側（炊飯器では中央表示領域２２の前方となる）にユーザーが操作する操作ボタン３０を具えた構成としている。なお、表示・操作部２０及び中央表示領域２２は、説明のため矩形の枠で囲んでいるが、この枠はなくても構わない。中央表示領域２２及び操作ボタン３０は、液晶表示やＬＥＤなどによって、調理メニュー４０や操作内容を点灯させて視認可能、消灯させて視認不能としている。操作ボタン３０は、タクトスイッチ、感圧式、静電式等、種々の構成を採用できる。
【００１８】
なお、表示・操作部２０は、たとえばタッチパネル式のものを採用することにより、中央表示領域２２に表示された調理メニュー４０も直接操作可能とする構成としても構わない。
【００１９】
図２は、表示・操作部２０を全点灯させた状態を示している。中央表示領域２２は、各種調理メニュー４０（４１１〜４３４）や炊飯器の状態等を表示４５１〜４５９する。また、中央表示領域２２の下方（炊飯器の蓋体１０では中央表示領域２２の前方側に位置する）には、予約ボタン３１、炊飯（無洗米）ボタン３２、取消ボタン３３の表示を具える。中央表示領域２２の左側には音声ガイドボタン３４、仕上りボタン３５、保温選択ボタン３６の表示を具え、右側には、スライド選択ボタン３７、火かげんボタン３８、時刻設定ボタン３９を具える。スライド選択ボタン３７は、左右の矢印（＜、＞）を有し、何れかの方向を選択することで、調理メニュー４０を左右に移動させ、また、時刻設定等の操作を行なうことができる。なお、操作ボタン３０の表示内容や数、形状、中央表示領域２２の調理メニュー４０や表示内容や数、形状などは、本実施形態に限定されるものではない。
【００２０】
中央表示領域２２は、本実施形態では、図２に示すように、３行、４列で調理メニュー４０を表示している。具体的には、１行目左から洗浄４１１、おこわ４１２、炊込み４１３、早炊き４１４、２行目左からエコ炊き４２１、白米４２２、おかゆ４２３、雑穀米４２４、３行目左から玄米４３１、麦めし：押麦４３２、麦めし：もち麦４３３、麦がゆ４３４である。各行の調理メニュー４０は、互いに関連性の高いものを纏めるようにしている。これにより、調理メニュー４０の選択をユーザーは容易に行なうことができる。各調理メニュー４０の外周には、たとえば上下枠、右枠、左枠からなる略矩形の選択枠４４が点灯可能となっており、後述する図３等に示すように、選択操作中の調理メニュー４０を選択枠４４で囲むことで、選択されていることを視認可能としている。なお、選択枠４４は円形、楕円形等であってもよい。
【００２１】
洗浄４１１は、内鍋に水を張った状態で加熱を行ない、内鍋や蓋体１０の蒸気通路、排出口１４などを洗浄するメニューである。おこわ４１２はもち米を蒸した米飯を炊くメニュー、炊込み４１３は炊込みごはんを炊くメニュー、早炊き４１４は、吸水時間をゼロ又は短くして短時間でごはんを炊くメニュー、エコ炊き４２１は、加熱量を抑えてご飯を炊くメニュー、白米４２２、雑穀米４２４、玄米４３１、麦めし：押麦４３２、麦めし：もち麦４３３は、米又は麦の種類に応じて炊くメニュー、おかゆ４２３、麦がゆ４３４は、米や麦をや多めの水で柔らかく炊くメニューである。
【００２２】
また、調理メニュー４０の下方には、炊きあがり時の状態を選択するしゃっきり、もっちり表示４５１があり、５段階で選択可能となっている。段階は５つの大きい丸印で表示され、大きい丸印の下の小さい点を５つ表示しておくことで、現在どの段階を選択しているか判別可能としている。しゃっきり、もっちり表示４５１は、中央表示領域２２の左側の仕上りボタン３５を操作することで選択され、さらに、仕上りボタン３５の複数回操作又は右側のスライド選択ボタン３７で段階を調整できる。
【００２３】
また、しゃっきり、もっちり表示４５１の右側には火かげん表示４５２があり、３段階で選択可能となっている。段階は３つの大きい丸印で表示され、中央表示領域２２の右側の火かげんボタン３８を操作することで選択され、さらに、スライド選択ボタン３７の操作又は火かげんボタン３８の複数回操作で段階を調整できる。
【００２４】
保温あり、保温なし、今すぐ保温中の保温表示４５３は、保温の状態を表示し、左側の保温選択ボタン３６を操作することで選択され、さらに、スライド選択ボタン３７の操作又は保温選択ボタン３６の複数回操作で状態を選ぶことができる。
【００２５】
予約表示４５４は、炊飯の予約ボタン３１を操作することで表示され、その右側の１、２、３の表示は、予め設定された設定時刻での炊きあがりを選択でき、吸水の表示は、所定のつけ置き時間の経過後に炊飯を行なうときに点灯する表示である。これらは、スライド選択ボタン３７の操作又は予約ボタン３１の複数回操作で設定することができる。
【００２６】
無洗米の表示４５５は、無洗米を炊く際に表示される。無洗米の表示４５５は、炊飯ボタン３２を２回操作することで点灯する。
【００２７】
圧力の表示４５６は、炊飯の際、内鍋内が加圧されているときに点灯し、ユーザーが蓋体１０を不用意に開けないように注意を促す表示である。
【００２８】
音声タイプ、音量の表示４５７は、調理メニュー４０を選択したとき、また、炊きあがり時にブザー音やメロディを発する設定を表示するものであり、音声ガイドボタン３４を操作し、スライド選択ボタン３７の操作で状態を選ぶことができる。
【００２９】
デジタルの時間表示４５８は、現在時刻や炊きあがり時刻、炊きあがりまでの時間、保温時間などを表示する。また、上記した音声ガイドボタン３４を操作したときに、音声タイプ、音量をデジタル表示する。
【００３０】
中央表示領域２２の中央下の茶碗、ご飯、湯気、水滴及び茶碗横の横線の表示４５９は、炊飯状態や保温温度をアニメーションで表示する。詳細は、後述する。
【００３１】
なお、本実施形態では、図２に示すように、表示・操作部２０の左下に動き検知を行なう人感センサー１６を具え、ユーザーが接近したときに、表示・操作部２０の必要な調理メニュー４０を点灯させ、所定時間経過後は、これらを消灯又は一部のみ点灯させるようにしている。人感センサー１６は、制御手段に電気的に接続されている。
【００３２】
以下、上記構成の表示・操作部２０の操作とその表示の遷移を種々のパターンに沿って説明する。
【００３３】
図３は、調理メニュー４０の選択時における表示・操作部２０の表示とその遷移を示している。図３（ａ）は、エコ炊き４２１が選択枠４４で囲まれて選択操作中の状態を示している。選択枠４４は、たとえば、０．７秒周期で点滅させることができる。ここから、スライド選択ボタン３７（右方向：＞のマーク）を１回押すことで、図３（ｂ）に示すように、選択枠４４は右に１つ移動し、白米４２２を囲む。さらに、スライド選択ボタン３７（右方向）を押すことで順次選択枠４４は移動し、２行目右から３行目左に移動する。これを繰り返すことで、図３（ｃ）に示すように麦めし：もち麦４３３、さらには図３（ｄ）に示すように１行目に移動して洗浄４１１など、すべての調理メニュー４０を移動可能である。もちろん、スライド選択ボタン３７（左方向：＜のマーク）を押すことで、逆向きに選択枠４４を移動させることもできる。選択枠４４が移動することで、現在選択されている調理メニュー４０が何れであるかをユーザーは容易に視認することができ、またその操作も容易である。
【００３４】
なお、図３において、調理メニュー４０が選択されている間、対応する調理メニュー４０で操作できない操作ボタン、たとえば、何れも時刻設定ボタン３９（図２参照）は消灯しており、たとえば、図３(ａ)のエコ炊き４２１を選択中に操作できない仕上りボタン３５や火かげんボタン３８、取消ボタン３３を消灯させている。また、図３（ｄ）の洗浄４１１では予約ボタン３１も消灯させている。このように、操作できないボタンを消灯させることにより、操作できないボタンの操作や誤操作を防止することができ、操作性を可及的に向上させることができる。以下の実施形態についても同様である。
【００３５】
図４は、白米４２２に選択枠４４を移動させた状態で、火かげんボタン３８を押して、炊飯時の火かげん４５２を調整した場合の遷移図である。初期値は図４（ａ）、（ｂ）に示すように、火かげん弱（丸印１つ）としている。ここから、スライド選択ボタン３７（右方向）を押すことで、図４（ｃ）、（ｄ）に示すように、火かげん４５２を中（丸印２つ）、強（丸印３つ）に調整できる。なお、火かげんボタン３８を押すことで、火かげん４５２を弱、中、強に順次移動させることもできる。また、スライド選択ボタン３７（左方向）を押すことで、火かげん４５２を弱めることもできる。ユーザーは、表示される丸印の数によって火かげん４５２を視認することができ、その調整も容易である。たとえば、調理メニュー４０が炊込み４１３である場合にも、同様の火かげん調整を行なえるようにすることができる。
【００３６】
図５は、白米４２２に選択枠４４を移動させた状態で、仕上りボタン３５を押して、炊きあがり時の状態を示すしゃっきり、もっちり表示４５１を選択する場合の遷移図である。初期値は標準とすることができ、図５(ａ)、（ｂ）に示すように、５段階の中央の丸印が点灯する。なお、大きい丸印の下の小さい点を５つ表示しており、丸印がどの段階にあるかを容易に判別することができる。この状態から、スライド選択ボタン３７（右方向）又は仕上りボタン３５を押すことで、図５（ｃ）、（ｄ）に示すように、丸印は右側のややもっちり、もっちりに移動する。さらに、これらボタンを押すと、図５（ｅ）に示すように、一番左のしゃっきり、さらに図５（ｆ）に示すややしゃっきりに移動し、再度図５（ｂ）の標準に戻る。また、スライド選択ボタン３７（左方向）を押すことで、左側に丸印を移動させることもできる。ユーザーは、表示される丸印の位置によって仕上りを視認することができ、その調整も容易である。
【００３７】
図６は、時刻設定ボタン３９を操作した場合の遷移図である。図６（ａ）の待機状態から時刻設定ボタン３９を押すと、操作できない調理メニュー４０は図６（ｂ）に示すように消灯する。そして、時間表示４５８を参照しながら、時刻設定ボタン３９の時、分を押すことで、図６（ｃ）に示すように、時刻を設定することができる。調理メニュー４０が消灯していることから、ユーザーは、他の表示に惑わされることなく、時間表示４５８の設定が行なわれていることを容易に認識することができる。そして、時刻設定が完了すると、たとえば炊飯ボタン３２を押すことで、図６（ｄ）に示すように、設定された時刻が表示された待機状態に戻る。
【００３８】
図７は、保温選択ボタン３６を操作した場合の遷移図である。図７（ａ）に示す待機状態から保温選択ボタン３６を押すと、操作できない調理メニュー４０は消灯し、図７（ｂ）に示すように、保温表示４５３には、初期値である保温ありが表示される。この状態から、保温選択ボタン３６を押すと、図７（ｃ）、（ｄ）に示すように、保温表示４５３は、保温なし、今すぐ保温に移動する。さらに保温選択ボタン３６を押すと、図７（ｂ）の保温ありに戻る。調理メニュー４０が消灯していることから、ユーザーは、他の表示に惑わされることなく、保温の設定が行なわれていること容易に認識することができる。そして、保温設定を選択した後、たとえば炊飯ボタン３２を押すことで、図７（ｅ）に示すように、設定された保温状態で保温が開始される。このとき、符号４５９で示すアニメーションで表示することで保温が行なわれていることを視認できる。また、保温開始からの経過時刻を時間表示４５８することもできる。
【００３９】
図８乃至図１０は、待機状態から炊きあがり時間の予約設定、予約炊飯の遷移図である。図８（ａ）の待機状態から、予約ボタン３１を操作することで、図８（ｂ）〜（ｅ）に示すように、操作できない調理メニュー４０が消灯する。本実施形態では、予約設定できない調理メニューを１行目に纏めており、予約設定時には、１行目の調理メニューを纏めて消灯させるようにしている。これにより、消灯した調理メニューが、操作できる調理メニューどうしの間に位置することで、表示が煩雑になってしまうことを防止でき、また、誤操作も防止できる。もちろん、予約できない調理メニュー４０を１列に纏めて表示、消灯するようにしてもよい。
【００４０】
予約設定は、前回の予約設定が予約吸水（図８（ｅ））でない場合には、図８（ｂ）に示すように予約：１が初期設定として表示４５４されるようにしている。前回の予約設定が予約吸水の場合には、最初に図８（ｅ）に示す予約：吸水とすることができる。なお、調理メニュー４０は、図示では白米４２２が選択されている。
【００４１】
ここから、図８（ｂ）から予約ボタン３１を操作することで、図８（ｃ）〜（ｅ）の予約２、予約３、予約吸水に移動する。再度予約ボタン３１を押すことで、図８（ｂ）の予約１に戻る。そして、何れかの予約状態からスライド選択ボタン３７を操作することで、図９（ａ）〜（ｃ）に示すように選択枠４４が順次移動して、調理メニュー４０を選択できる。
【００４２】
たとえば、図９（ｃ）に示すエコ炊き４２１で予約を確定させる場合には、図９（ｃ）の状態で炊飯ボタン３２を押す。これにより、図１０（ａ）に示すように選択されたエコ炊き４２１以外の調理メニュー４０は消灯し、予約設定が完了する。
【００４３】
予約設定が完了し（図１０（ａ））、所定時間（たとえば２０秒）が経過すると、図１０（ｂ）に示すように炊飯ボタン３２が消灯する。そして、予約設定された時刻になると、図１０（ｃ）に示すように予約炊飯が開始されて炊飯ボタン３２が点灯する。ここから、炊飯が開始され、図１０（ｄ）に示すように炊飯完了までの時間が表示される。そして、予約炊飯が完了すると、図１０（ｅ）に示すように、時間表示４５８はゼロになり、保温中の表示４５３に変わる（図１０（ｆ））。保温中は、図１０（ｇ）に示すように保温時間が表示される。
【００４４】
上記のように、予約及び炊飯時に、不要な調理メニュー４０等が消灯することで、操作性を向上できるだけでなく、たとえば、炊飯がどのような状態にあるかを容易に判別することができる。
【００４５】
図１１は、待機状態から炊飯、保温に至る遷移図である。図１１（ａ）の待機状態において、選択枠４４を白米４２２に移動させ、炊飯ボタン３２を操作することで、図１１（ｂ）に示すように白米４２２での炊飯が開始される。このとき、時間表示４５８は炊きあがりまでの時間が表示される。米が無洗米である場合には、再度炊飯ボタン３２を押せば、図１１（ｃ）に示すように無洗米４５５の炊飯コースに切り替わる。そして、炊飯が開始されると、図１１（ｄ）に示すように炊飯完了までの時間が表示４５８され、炊飯が完了すると、図１１（ｅ）に示すように、保温中４５３の表示に変わる。
【００４６】
炊飯ボタン３２を押したときに、操作不能な表示が消灯するから、たとえば、炊飯から無洗米への切替えを感覚的に操作することができ、操作性を向上できる。
【００４７】
図１２は、待機状態から音声ガイドボタン３４を操作し、音声タイプ、音量を設定するシステム設定の遷移を示している。図１２（ａ）に示す待機状態から、音声ガイドボタン３４を押すと、図１２（ｂ）に示すように調理メニュー４０が消灯し、音声タイプ、音量の表示４５７と共に、時刻表示４５８の位置に現在の音声タイプ（数字１：メロディ１）と、その右側に音量（数字２）、時刻設定ボタン３９が表示される。そして、時刻設定ボタン３９の分を押すことで、図１２（ｃ）に示すように、音量が１ずつ上昇し、最大音量まで達した後、最小音量の１に戻る。また、時刻設定ボタン３９の時を押す毎に、図１２（ｄ）に示すように、音声タイプがメロディ２、メロディ３と変化する。
【００４８】
このように、不要な表示が消灯し、音声の設定に必要な表示と、その設定に必要な時刻設定ボタン３９が表示されることで、ユーザーは、時刻設定ボタン３９を操作することで、音声タイプ、音量を調整することを感覚で理解することができ、操作性を向上できる。
【００４９】
上記のように、本発明では、操作可能な調理メニュー４０を表示し、操作不能な調理メニュー４０等の表示を消灯させることにより、表示を煩雑にすることなく、操作できないボタンの操作や誤操作を防止することができ、操作性を可及的に向上させることができる。
【００５０】
図１３は、人感センサー１６が所定時間、人の動きを検知していないときに、表示・操作部２０を消灯、或いは、必要な表示のみとして、節電等を図るスタンバイ状態への移行を示している。図１３（ａ）は、上記した待機状態などにおいて、所定時間（たとえば２０秒）、人感センサー１６が人の動きを検知していない場合に、表示・操作部２０を全消灯させた状態を示す。図１３（ｂ）〜（ｅ）は、炊飯、保温、予約、予約炊飯において、必要な表示のみを残し、他の調理メニュー等を消灯させた状態を示す。何れも場合も、人感センサー１６が人の動きを検知すると、元の表示に戻るようにすることができる。
【００５１】
これにより、人感センサー１６が人の動きを検知していない状態で、不要な表示を消灯させることで、節電等を図ることができる。
【００５２】
図１４は、スライド選択ボタン３７の操作により調理メニュー４０を選択する際に、選択枠４４の遷移状態を示す図である。図１４（ａ）に示す状態からスライド選択ボタン３７（右方向）を押すと、選択枠４４が纏めて移動するのではなく、まず、図１４（ｂ）に示すように、移動元である調理メニュー４０（白米４２２）の選択枠４４のうち、移動方向とは逆側の左枠４４１を消灯させると共に、移動先である右側の調理メニュー４０（おかゆ４２３）の左枠４４１を点灯させる。続いて、図１４（ｃ）に示すように白米４２２の上下枠４４３を消灯させると共に、おかゆ４２３の上下枠４４３を点灯させる。そして、白米４２２の右枠４４２を消灯させると共に、図１４（ｄ）に示すようにおかゆ４２３の右枠４４２を点灯させて、選択枠４４の移動が完了する。各枠の移動間隔はたとえば３０ｍｓｅｃとすることができる。このように選択枠４４の動作にマイクロインタラクションを採用することで、ユーザーは、選択枠４４の移動方向を容易に認識することができ、視認性を向上することができる。
【００５３】
スライド選択ボタン３７（左方向）を押したときには、上記とは逆の動き（図１４の（ｄ）、（ｃ）、（ｂ）、（ａ）の順）で選択枠４４を移動させるようにすればよい。
【００５４】
図１５は、選択枠４４の移動動作の異なる実施形態である。図１５（ａ）に示す状態から、スライド選択ボタン３７（右方向）を選択したときに、まず、移動元の移動方向とは逆側の左枠４４１を消灯させるが、図１５（ｂ）に示すように、移動先の調理メニュー４０（おかゆ）の右枠４４２を点灯させている。そして、図１５（ｃ）に示すように上下枠４４３を移動させた後、図１５（ｄ）に示すように、残る移動元の右枠４４２を消灯させ、移動先の左枠４４１を点灯させるようにしている。この場合も、ユーザーは、選択枠４４の移動方向を容易に認識することができ、視認性を向上させることができる。
【００５５】
一部の操作ボタン３０では、調理メニュー４０を選択する際に、操作ボタン３０に対応する機能に対し、詳細な設定を行なうことができる。たとえば、上記した火かげんボタン３８や仕上りボタン３５では、火かげんの調整、仕上り（しゃっきり、もっちり）の設定を行なうことができるようにしている。このような場合、ユーザーは、何れの操作ボタン３０に対して詳細な設定をさらに行なうことができるかマニュアルを参照するなどしなければ理解することができない。そこで、本実施形態では、図１６に示すように、さらに詳細な設定を行なうことができる操作ボタン３０については、ユーザーが触れたときに、その輝度を変えて詳細な設定が可能であることをユーザーに伝達できるようにするようにしている。すなわち、ユーザーが操作ボタン３０を長押ししたときに、図１６（ａ）〜（ｃ）に示すように、操作ボタン３０の輝度を変え、図１６（ｂ）に示すように減光（たとえば５０％減光）させている。ユーザーは、操作ボタン３０を長押ししたときに、その輝度が変わることで、詳細な設定が可能であることを容易に認識することができ、操作性を可及的に向上できる。なお、減光に変えて点滅等するようにしても構わない。
【００５６】
図１７は、炊飯や保温の状態に合わせて茶碗、ご飯及び湯気の表示４５９をアニメーション化したものである。図１７（ａ）は炊飯開始から吸水中、図１７（ｂ）は昇温中、図１７（ｃ）は炊上げ中、図１７（ｄ）はむらし中のアニメーション表示をそれぞれ示している。図中の時間表示は、遷移時間を示している。たとえば、図１７（ｂ）〜（ｄ）は同じアニメーションであるが、遷移時間を変えたことで、ユーザーは炊飯がどの段階にあるのか目視により容易に理解することができ、また、親和性を高めることができる。
【００５７】
図１８は、炊飯時の圧力状態に応じて、ご飯から湯気の出る表示４５９のアニメーションを変えた遷移図である。図１８（ａ）は、通常炊飯中の湯気の出方を示しており、緩やかに湯気がご飯から出ている様子を示す。一方、図１８（ｂ）は、炊きあがり直前の圧力解放状態を示しており、勢いよく湯気がご飯から出ている様子を示す。このように、アニメーションによって湯気の状態を変えることで、ユーザーは、炊飯の状態を目視により容易に確認することができる。
【００５８】
図１９は、保温中の茶碗、ご飯及び湯気の表示４５９をアニメーション化したものである。図１９（ａ）〜（ｄ）に示すように、ご飯から出る湯気の出方や間隔を変えることで、種々の保温状態にあることが目視により容易に確認できる。
【００５９】
図２０は、表示・操作部２０が（ａ）の全消灯状態から（ｇ）のスタンバイ状態に復帰する遷移を示している。図２０（ａ）に示す全消灯から、まず、図２０（ｂ）に示すように最下段の予約ボタン３１、炊飯ボタン３２が点灯し、続いて、図２０（ｃ）〜（ｆ）に示すように順次下方のボタン、調理メニューが点灯する。そして、最後に図２０（ｇ）に示すように最上段のボタン、調理メニューが点灯する。全消灯状態から復帰する際に、一度にすべてのボタン、調理メニューを点灯させるのではなく、順次点灯させることにより、全消灯状態から復帰していることが目視により確認することができる。逆に、スタンバイ状態から全消灯状態に遷移するには、上記とは逆に最上段から順に消灯させることができる。もちろん、全消灯状態において最上段から点灯させたり、左や右から点灯させることもできる。
【００６０】
上記各図を用いて説明したように、本発明の炊飯器は、表示・操作部２０について、ある操作を行なったときに、その機能に対して操作不能な表示を消灯させることで、点灯している操作ボタンのみが操作受付可能であることを容易に理解でき、表示が煩雑になってしまうことを防止でき、また、誤操作も防止できる。また、表示・操作部２０の表示をアニメーション化することにより、ユーザーは、炊飯や保温の状況を容易に理解することができる。これらによって、炊飯器の視認性、操作性を可及的に高めることができる。
【００６１】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【符号の説明】
【００６２】
１０  蓋体
２０  表示・操作部
２２  中央表示領域
３０  操作ボタン
４０  調理メニュー
４４  選択枠
【図１】
2019033914.tif 000003
【図２】
2019033914.tif 000004
【図３】
2019033914.tif 000005
【図４】
2019033914.tif 000006
【図５】
2019033914.tif 000007
【図６】
2019033914.tif 000008
【図７】
2019033914.tif 000009
【図８】
2019033914.tif 000010
【図９】
2019033914.tif 000011
【図１０】
2019033914.tif 000012
【図１１】
2019033914.tif 000013
【図１２】
2019033914.tif 000014
【図１３】
2019033914.tif 000015
【図１４】
2019033914.tif 000016
【図１５】
2019033914.tif 000017
【図１６】
2019033914.tif 000018
【図１７】
2019033914.tif 000019
【図１８】
2019033914.tif 000020
【図１９】
2019033914.tif 000021
【図２０】
2019033914.tif 000022